(57)【要約】【課題】ポケットに物品の出し入れを容易に行うことができ、後席着座者の足元空間を広く取ることができ、かつ、意匠性に優れたバックシェル付きシートを提供する。【解決手段】バックシェル付きシート２Ａ，２Ｂは、座部及び該座部の後端に背凭れ５を備えたシート３と、該シート３を覆うバックシェル６と、を備えたリクライニングシートである。バックシェル６は、背凭れ５の後方に配置されたバックシェル本体７と、上部が開口した箱状でかつ下部を中心に回動自在にバックシェル本体７に支持された後席着座者用のポケット８と、ポケット８を背凭れ５側に付勢する付勢手段と、を備えている。バックシェル本体７には収容凹部７１が設けられ、自然状態でポケット８が収容凹部７１に収容されている。【選択図】図２
2018130990.tif 000002
【特許請求の範囲】
【請求項１】
座部及び該座部の後端に背凭れを備えたシートを覆うバックシェルであって、
前記背凭れの後方に配置されたバックシェル本体と、上部が開口した箱状でかつ下部を中心に回動自在に前記バックシェル本体に支持されたポケットと、前記ポケットを前記背凭れ側に付勢する付勢手段と、を備えている
ことを特徴とするバックシェル。
【請求項２】
前記バックシェル本体に、前記ポケットが収容される収容凹部が設けられ、
自然状態で前記ポケットが前記収容凹部に収容されており、前記収容凹部に収容された前記ポケットを前記背凭れと反対側に回動させることができる
ことを特徴とする請求項１に記載のバックシェル。
【請求項３】
前記ポケットの下部に軸部材が固定され、前記軸部材の端部と前記バックシェル本体との間に前記付勢手段が設けられている
ことを特徴とする請求項１又は２に記載のバックシェル。
【請求項４】
前記ポケットの下半部に、前記背凭れの幅方向に延びたスリットが設けられている
ことを特徴とする請求項１〜３の何れか１項に記載のバックシェル。
【請求項５】
請求項１〜４のうち何れか１項に記載のバックシェルと、前記シートと、を備えた
ことを特徴とするバックシェル付きシート。
【発明の詳細な説明】
【技術分野】
【０００１】
本発明は、後席着座者用のポケットが設けられたバックシェル、及び該バックシェルを備えたバックシェル付きシートに関する。
【背景技術】
【０００２】
従来より、鉄道の有料特急車両や航空機などの客室においては、乗客用のシートが進行方向に沿って配列されている。このようなシートにおいては、背凭れの背面側に、後席着座者用のポケットが設けられているのが一般的である。
【０００３】
この種のシートとして、特許文献１には、背凭れの背面側に網袋から成るポケットが設けられたシートが開示されている。また、特許文献２には、背凭れクッションを支持する支持構造体に形成された中空部がポケットとして機能するシートが開示されている。
【先行技術文献】
【特許文献】
【０００４】
【特許文献１】特開２００３−２１０２７７号公報
【特許文献２】特開２０１２−２５０７０７号公報
【発明の概要】
【発明が解決しようとする課題】
【０００５】
しかしながら、上記特許文献１に開示されたようなシートにおいては、ポケットが網袋から成るがゆえに、ポケットに重量物を収納した場合、該ポケットが垂れ下がって後席着座者の足元空間を狭めてしまうという問題があった。また、網袋から成るポケットは見栄えが良くないという問題もあった。
【０００６】
また、上記特許文献２に開示されたようなシートにおいては、ポケットが変形不能かつ回動不能な構造であることから、該ポケットの間口の向きを変更することができず、後席着座者がポケットに物品を出し入れし難いという問題があった。
【０００７】
本発明は、上述した問題に鑑みてなされたものであり、ポケットに物品の出し入れを容易に行うことができ、後席着座者の足元空間を広く取ることができ、かつ、意匠性に優れたバックシェル、及び該バックシェルを備えたバックシェル付きシートを提供することを目的とする。
【課題を解決するための手段】
【０００８】
請求項１に記載された発明は、座部及び該座部の後端に背凭れを備えたシートを覆うバックシェルであって、前記背凭れの後方に配置されたバックシェル本体と、上部が開口した箱状でかつ下部を中心に回動自在に前記バックシェル本体に支持されたポケットと、前記ポケットを前記背凭れ側に付勢する付勢手段と、を備えていることを特徴とするバックシェルである。
【０００９】
請求項２に記載された発明は、請求項１に記載された発明において、前記バックシェル本体に、前記ポケットが収容される収容凹部が設けられ、自然状態で前記ポケットが前記収容凹部に収容されており、前記収容凹部に収容された前記ポケットを前記背凭れと反対側に回動させることができることを特徴とするものである。
【００１０】
請求項３に記載された発明は、請求項１又は２に記載された発明において、前記ポケットの下部に軸部材が固定され、前記軸部材の端部と前記バックシェル本体との間に前記付勢手段が設けられていることを特徴とするものである。
【００１１】
請求項４に記載された発明は、請求項１〜３の何れか１項に記載された発明において、前記ポケットの下半部に、前記背凭れの幅方向に延びたスリットが設けられていることを特徴とするものである。
【００１２】
請求項５に記載された発明は、請求項１〜４のうち何れか１項に記載のバックシェルと、前記シートと、を備えたことを特徴とするバックシェル付きシートである。
【発明の効果】
【００１３】
請求項１，５に記載された発明によれば、ポケットに物品の出し入れを行う際は、ポケットを背凭れと反対側すなわち後席着座者側に回動させることで、容易に出し入れを行うことができる。ポケットに物品を収納した状態では、ポケットが背凭れ側に付勢されているので、物品がポケットから落下することを防止できるとともに後席着座者の足元空間を広く取ることができる。また、ポケットが箱状であるため、意匠性が高く、重量物を収納した場合でも該ポケットが垂れ下がることを防止できる。
【００１４】
請求項２に記載された発明によれば、自然状態でポケットが収容凹部に収容されているので、物品がポケットから落下することをより一層防止できるとともに意匠性をより一層高めることができる。また、後席着座者が移動する際などに衣服や荷物などがポケットに引っ掛かることを防止できる。
【００１５】
請求項３に記載された発明によれば、前記ポケットの下部に軸部材が固定され、前記軸部材の端部と前記バックシェル本体との間に前記付勢手段が設けられているので、軸部材以外の部分に付勢手段を設ける場合と比較して、付勢手段を目立ち難くすることができる。
【００１６】
請求項４に記載された発明によれば、前記ポケットの下半部に、前記背凭れの幅方向に延びたスリットが設けられているので、ポケットに物品が収納されているか否かを外側から目視確認することができる。また、このスリットから清掃用具を挿入するなどしてポケット内の清掃を容易に行うことができる。
【図面の簡単な説明】
【００１７】
【図１】本発明の一実施形態にかかるバックシェル付きシートの背面を示す斜視図である。
【図２】図１の一方のバックシェル付きシートのポケットを引き出した状態を示す斜視図である。
【図３】図１のバックシェル付きシートの前面を示す斜視図であり、一方のバックシェル付きシートの座部及び背凭れを取り外した状態を示す斜視図である。
【図４】図３の要部拡大図である。
【図５】図４のポケットの斜視図である。
【発明を実施するための形態】
【００１８】
本発明の一実施形態にかかる「バックシェル」及び「バックシェル付きシート」を図１〜５を参照して説明する。図１〜３の符号１は、鉄道車両の客室内に装備される座席装置であり、フロア上に固定された脚台３０と、脚台３０上に回転可能に設けられた台枠と、この台枠に組み付けられた左右一対のバックシェル付きシート２Ａ，２Ｂと、を備えている。一対のバックシェル付きシート２Ａ，２Ｂは、ドリンクホルダ１３や傘立て１４などの配置が異なっているが、基本構成は同じであるため、代表してバックシェル付きシート２Ａの構成を説明する。
【００１９】
バックシェル付きシート２Ａは、図１〜３に示すように、座部４及び該座部４の後端に背凭れ５を備えたシート３と、該シート３を覆うバックシェル６と、を備えたリクライニングシートである。バックシェル６は、背凭れ５の後方に配置されかつ主として合成樹脂や金属部材で構成されたバックシェル本体７と、回動自在にバックシェル本体７に支持されたポケット８と、このポケット８を回動自在にバックシェル本体７に取り付けた後述の各種部品と、ポケット８を背凭れ５側に付勢する後述の付勢手段と、背面テーブル１１と、小物掛け１２と、ドリンクホルダ１３と、傘立て１４などを備えている。また、ポケット８、背面テーブル１１、小物掛け１２、ドリンクホルダ１３、傘立て１４は、後席着座者用に設けられたものである。
【００２０】
背凭れ５がリクライニング可能に設けられているのに対し、本実施形態のバックシェル本体７は傾動不能に設けられている。バックシェル本体７は、最大傾斜状態の背凭れ５に対応した角度に傾斜しており、アップライト状態の背凭れ５との間に間隔をあけている。
【００２１】
ポケット８は、合成樹脂で構成されており、図５に示すように、底板８１と、背凭れ５側に配置された板８２と、後席側に配置された板８３と、バックシェル付きシート２Ｂ側に配置された板８５と、バックシェル付きシート２Ｂから離れた側に配置された板８４と、を有し、上部が開口した箱状に形成されている。また、ポケット８の板８３の下半部には、背凭れ５の幅方向に延びたスリット８６が設けられている。板８３の上半部には、強度アップのための凹溝８７が設けられている。また、本実施形態では、ポケット８は、５００ｍｌのペットボトルを縦にして収納可能な大きさに形成されている。
【００２２】
図３〜５に示すように、ポケット８の下部には、固定具９０によって軸部材９１が固定されている。軸部材９１は、金属製の円柱（中空であっても良い。）であり、その軸方向が背凭れ５の幅方向となる向きでポケット８の底板８１に沿わされている。固定具９０は、金属板が折り曲げられるなどして形成されており、ポケット８の底板８１と重ねられた平板部９０１と、平板部９０１の両端から立設し、ポケット８の板８４，８５とそれぞれ重ねられた一対の側板部９０２と、平板部９０１の一部がポケット８と反対側に凹に形成されて成る軸部材収容部９０３と、を有している。軸部材９１は、軸部材収容部９０３に収容され、この軸部材収容部９０３に溶接されている。ポケット８の底板８１と固定具９０の平板部９０１とは、ボルト固定されている。
【００２３】
図４，５に示すように、軸部材９１の両端には、ブロック９２が取り付けられている。図４，５中の符号９４は、バックシェル本体７に取り付けられたブロックである。このブロック９４は、軸部材９１両端の各ブロック９２と対向する位置にそれぞれ設けられている。そして、これらブロック９２とブロック９４との間に、付勢手段としてのねじりばね（トーションばねとも言う。）９３が設けられている。ねじりばね９３の一端はブロック９２に埋設されており、他端はブロック９４に埋設されている。
【００２４】
図１〜３に示すように、バックシェル本体７には、ポケット８が収容される収容凹部７１が設けられている。収容凹部７１は、バックシェル本体７の後席側の外面から凹に形成されている。また、収容凹部７１は、背面テーブル１１の下方に設けられている。ねじりばね９３は、図２中の矢印Ｄ２方向にポケット８を付勢している。
【００２５】
上記構成により、ポケット８は、下部を中心に回動自在にバックシェル本体７に支持されている。すなわち、図１に示す自然状態でポケット８が収容凹部７１に収容されており、収容凹部７１に収容されたポケット８を背凭れ５と反対側の矢印Ｄ１方向に回動させることができる。図１に示す自然状態において、ポケット８の板８３の外面は、バックシェル本体７の後席側の外面と面一になっている。
【００２６】
上記構成のバックシェル付きシート２Ａにおいて、ポケット８に物品の出し入れを行う際は、ポケット８を背凭れ５と反対側すなわち後席着座者側に回動させることで、容易に出し入れを行うことができる。ポケット８に物品を収納した状態では、ポケット８がねじりばね９３によって背凭れ５側に付勢されて収容凹部７１に収容されているので、物品がポケット８から落下することを防止できるとともに後席着座者の足元空間を広く取ることができる。また、収容凹部７１に収容されたポケット８の板８３の外面は、バックシェル本体７の後席側の外面と面一になっているので、後席着座者が移動する際などに衣服や荷物などがポケット８に引っ掛かることを防止できる。また、ポケット８が箱状であるため、意匠性が高い上、重量物を収納した場合でも該ポケット８が垂れ下がることを防止できる。
【００２７】
さらに、上述したように、ポケット８の下半部には、背凭れ５の幅方向に延びたスリット８６が設けられている。このことにより、ポケット８に物品が収納されているか否かを外側から目視確認することができる。また、このスリット８６から清掃用具を挿入するなどしてポケット８内の清掃を容易に行うことができる。
【００２８】
上述した実施形態では、バックシェル本体７に収容凹部７１が設けられた構成であったが、本発明において収容凹部７１は必須の構成ではない。例えば、上記実施形態の構成以外に、バックシェル本体７に収容凹部７１が設けられておらず、ポケット８が常時、バックシェル本体７の後席側の外面から突出している構成であっても良い。このような構成であっても、ポケット８に物品の出し入れを容易に行うことができ、後席着座者の足元空間を広く取ることができ、かつ、意匠性に優れたバックシェル及びバックシェル付きシートを提供することができる。
【００２９】
さらに、上述した実施形態では、鉄道車両の客室内に装備される旅客用シートとしてのバックシェル付きシート２Ａ，２Ｂを説明したが、本発明のバックシェルは、映画館や劇場等に設置される観覧用シートに適用されても良い。
【００３０】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３１】
１  座席装置
２Ａ，２Ｂ  バックシェル付きシート
３  シート
４  座部
５  背凭れ
６  バックシェル
７  バックシェル本体
８  ポケット
７１  収容凹部
８６  スリット
９１  軸部材
９３  ねじりばね（付勢手段）
【図１】
2018130990.tif 000003
【図２】
2018130990.tif 000004
【図３】
2018130990.tif 000005
【図４】
2018130990.tif 000006
【図５】
2018130990.tif 000007